(57)【要約】【課題】  この発明は、放送番組の著作権保護のために使用されるＩＣカードおよび所要のデータが記録されるＨＤＤユニットの受信機本体への装着および取り外しが容易となるとともに、ＨＤＤユニットおよびＩＣカードの冷却がしやすくなる車載用デジタル放送受信機を提供することを目的とする。【解決手段】  車載用デジタル放送受信機において、放送番組の著作権保護のために使用されるＩＣカードのためのＩＣカードソケットと、所要のデータを記録するためのＨＤＤユニットとが一体的に組み込まれておりかつ受信機本体に着脱自在に装着される着脱ユニットを備えている。【選択図】  図１
2006191431.tif 000002
【特許請求の範囲】
【請求項１】
車載用デジタル放送受信機において、放送番組の著作権保護のために使用されるＩＣカードのためのＩＣカードソケットと、所要のデータを記録するためのＨＤＤユニットとが一体的に組み込まれておりかつ受信機本体に着脱自在に装着される着脱ユニットを備えていることを特徴とする車載用デジタル放送受信機。
【請求項２】
受信機本体に、受信機本体に装着された着脱ユニットを冷却するための冷却ファンが設けられていることを特徴とする請求項１に記載の車載用デジタル放送受信機。
【発明の詳細な説明】
【技術分野】
【０００１】
この発明は、車載用デジタル放送受信機に関する。
【背景技術】
【０００２】
現行の地上アナログテレビジョン放送は２０１１年に放送終了予定であり、地上デジタル放送に移行が行われている。地上デジタル放送は、ビデオデータ及びオーディオデータを圧縮して符号化データを生成し、この符号化データを誤り訂正符号とともに、周波数帯域の異なる複数のセグメントに割り当てて伝送するようになされている。デジタルテレビ放送は、従来のアナログテレビ放送に比べて、マルチパス等の影響が少なく、受信環境の変化による画質、音質の変化が小さいという特徴がある。
【０００３】
地上波デジタル放送は、固定用受信機向けだけではなく、移動用、携帯用といった用途に向けた放送規格も想定されているが、現状では実放送は行われておらず、固定受信機用の地上デジタル放送を自動車に搭載したカーナビゲーションシステムやテレビシステム等のアナログ受信対応のテレビモニタに映像を映し出す試みが行われている。
【０００４】
一方、カーナビゲーションシステムにおいて、ＨＤＤを搭載し、地図、音楽、静止画等を記録できるものが開発されている。現状では、ＨＤＤへの記録内容は上記のような地図、音楽、静止画等であるが、デジタル放送の映像記録をＨＤＤに行うことは技術的には既に確立されており、固定デジタル放送受信機とＨＤＤレコーダを組み合わせた製品は既に登場している。
【０００５】
ところで、デジタル放送を受信する場合において、著作権保護を目的として、コピー制御が行われている。つまり、現状の衛星デジタル放送及び地上波デジタル放送では、ＢＣＡＳ( ビーキャス) カードというＩＣカードが使用されており、地上波デジタル放送を視聴するためにはこのカードを受信機に挿入しておくが必要となる。ＢＣＡＳカードとは、セットボックス１台につき１枚づつ入っている固有のＩＤ番号を持ったカードである。ＢＣＡＳは、BS-Conditional Access Systems の略である。車載用デジタル放送受信機においても、地上波専用のＣＡＳの導入が検討されているが、現状ではＢＣＡＳカードの使用が不可欠なものとなっている。
【０００６】
車載用デジタル放送受信機での地上波デジタル放送の視聴に関しては、ＢＡＣＳカードの挿入が必要があり、セキュリティの面とＢＡＣＳカードの保存温度の関係からも自動車を離れるときにはＢＡＣＳカードを抜いて持ち出せるようにしたいという要求がある。さらに、ＢＣＡＳカードは固定受信用に規定されたＩＣカードの規定で作られており、車載用デジタル放送受信機において−１０°Ｃ〜＋６０°Ｃの動作温度を満たすためには、十分な冷却を考慮する必要がある。
【０００７】
図７は、従来のカーナビゲーション一体型の車載用デジタル放送受信機の外観を示している。
【０００８】
この車載用デジタル放送受信機は、受信機本体１０と受信機本体１０の前面側に開閉自在に設けられた表示パネル２０とを備えている。図７では、表示パネル２０が倒された状態を示している。受信機本体１０の前面の高さ中央の右寄り位置に、地図データ等が記録されているとともに放送番組の録画等に使用されるＨＤＤユニット３２の挿入口１０１が形成されている。また、受信機本体１０の前面の左下部分に、放送番組の著作権保護のために使用されるＢＣＡＳカード（ＩＣカード）１の挿入口１０２が形成されている。
【０００９】
つまり、従来の車載用デジタル放送受信機では、ＨＤＤユニット３２の挿入口１０１と、ＢＣＡＳカード１の挿入口１０２とが別々に形成されており、ＨＤＤユニット３２とＢＣＡＳカード１の冷却に関してもそれぞれの部位を冷却する必要がある。また、ＨＤＤユニット３２とＢＣＡＳカード１とを受信機本体１０に装着するには、それらを別々に挿入する必要があった。
【発明の開示】
【発明が解決しようとする課題】
【００１０】
この発明は、放送番組の著作権保護のために使用されるＩＣカードおよび所要のデータが記録されるＨＤＤユニットの受信機本体への装着および取り外しが容易となるとともに、ＨＤＤユニットおよびＩＣカードの冷却がしやすくなる車載用デジタル放送受信機を提供することを目的とする。
【課題を解決するための手段】
【００１１】
請求項１に記載の発明は、車載用デジタル放送受信機において、放送番組の著作権保護のために使用されるＩＣカードのためのＩＣカードソケットと、所要のデータを記録するためのＨＤＤユニットとが一体的に組み込まれておりかつ受信機本体に着脱自在に装着される着脱ユニットを備えていることを特徴とする。
【００１２】
請求項２に記載の発明は、請求項１に記載の発明において、受信機本体に、受信機本体に装着された着脱ユニットを冷却するための冷却ファンが設けられていることを特徴とする。
【発明の効果】
【００１３】
この発明によれば、放送番組の著作権保護のために使用されるＩＣカードおよび所要のデータが記録されるＨＤＤユニットの受信機本体への装着および取り外しが容易となるとともに、ＨＤＤユニットおよびＩＣカードの冷却がしやすくなる。
【発明を実施するための最良の形態】
【００１４】
以下、図面を参照して、この発明の実施例について説明する。
【実施例１】
【００１５】
図１、図２、図３は、カーナビゲーション一体型の車載用デジタル放送受信機の外観を示している。
【００１６】
この車載用デジタル放送受信機は、受信機本体１０と受信機本体１０の前面側に開閉自在に設けられた表示パネル２０と、地図データ等が記録されているとともに放送番組の録画等に使用されるＨＤＤと放送番組の著作権保護のために使用されるＢＣＡＳカードのカードソケットとが一体となった着脱ユニット３０とを備えている。図１では、表示パネル２０が倒された状態の斜視図であり、図２は、表示パネル２０の正面図であり、図３は、受信機本体１０の背面図である。表示パネル２０の前面の両端部には、複数の操作キーが設けられている。
【００１７】
着脱ユニット３０は、図４および図５に示すように、ＨＤＤユニット３２が内蔵されたケース３１と、ケース３１の上面に固定されたカードソケット３３とを備えている。カードソケット３３には、ＢＣＡＳカード（ＩＣカード）１が差し込まれている。ケース３１の後端側には、ＨＤＤユニット３２およびカードソケット３３を受信機本体１０に内蔵されたカーナビゲーションシステム４０（図６参照）と接続するためのコネクタ３４が取り付けられている。
【００１８】
図１に示すように、受信機本体１０の前面の高さ中央には、着脱ユニット３０を挿入するための挿入口１１が形成されている。また、図３に示すように、受信機本体１０の後面には、着脱ユニット３０を冷却するための冷却用ファン１２が設けられている。
【００１９】
図６は、カーナビゲーション一体型の車載用デジタル放送受信機の電気的構成を示している。
【００２０】
受信機本体１０の前面の挿入口１１から着脱ユニット３０が挿入され、着脱ユニット３０に設けられたコネクタ３４が、受信機本体１０内のカーナビゲーションシステム４０に設けられたコネクタ（図示略）に接続されているものとする。
【００２１】
受信機本体１０内には、着脱ユニット３０を冷却するための冷却用ファン１２および、カーナビゲーションシステム４０が設けられている。カーナビゲーションシステム４０は、ＨＤＤユニット３２を制御するためのＨＤＤ制御部４１、地上波デジタル放送を受信するためのデジタルテレビユニット４２およびナビゲーション装置４３を備えている。
【００２２】
着脱ユニット３０内のＨＤＤユニット３２は、着脱ユニット３０に設けられたコネクタ３４を介してＨＤＤ制御部４１に接続されている。ＢＣＡＳカード１は、着脱ユニット３０内のカードソケット３３およびコネクタ３４を介して、デジタルテレビユニット４２に接続されている。これにより、デジタルテレビ放送の視聴が可能となる。
【００２３】
ＨＤＤ制御部４１は、デジタルテレビユニット４２およびナビゲーション装置４３に接続されている。デジタルテレビユニット４２はナビゲーション装置４３に接続されている。デジタルテレビユニット４２には、ダイバシーアンテナ５１、５２が接続されている。      
【００２４】
ナビゲーション装置４３には各種のセンサからのセンサ信号、ＧＰＳアンテナ５３によって受信されたＧＰＳ信号が入力される。ナビゲーション装置４３には、表示パネル２０およびスピーカ５４が接続されている。
【００２５】
デジタルテレビユニット４２によって受信されたテレビ放送番組の映像はナビゲーション装置４３を介して表示パネル２０に表示され、当該テレビ放送番組の音声はナビゲーション装置４３を介してスピーカ５４から出力される。デジタルテレビユニット４２によって受信されたテレビ放送番組の映像および音声をＨＤＤユニット３２に録画することも可能である。また、ＨＤＤユニット３２に録画されたテレビ放送番組の映像および音声を、デジタルテレビユニット４２によって再生することも可能である。
【００２６】
上記実施例では、着脱ユニット３０を受信機本体１０に挿入したり、引き抜いたりすることにより、ＨＤＤユニット３２とＢＣＡＳカード１とを受信機本体１０に同時に装着したり、受信機本体１０から同時に取り出したりすることができるようになる。
【００２７】
また、着脱ユニット３０が受信機本体１０に挿入されている状態では、ＨＤＤユニット３２とＢＣＡＳカード１とは近接した位置にあるため、それらの冷却を行ないやすくなる。
【００２８】
また、ＨＤＤユニット３２に録画した番組を、他の車載シテスムで再生を行いやすくなる。つまり、ＢＣＡＳカードを装着したまま着脱ユニット３０を他の車載シテスムに挿入することにより、その着脱ユニット３０内のＨＤＤユニット３２に録画した番組をその録画時に使用したＢＣＡＳカードと同じＢＣＡＳカードによって再生を行うことができる。
【図面の簡単な説明】
【００２９】
【図１】カーナビゲーション一体型の車載用デジタル放送受信機の外観を示す斜視図である。
【図２】表示パネル２０の正面図である。
【図３】受信機本体１０の背面図である。
【図４】着脱ユニット３０の外観を示す斜視図である。
【図５】着脱ユニット３０の構造を示す斜視図である。
【図６】カーナビゲーション一体型の車載用デジタル放送受信機の電気的構成を示すブロック図である。
【図７】従来のカーナビゲーション一体型の車載用デジタル放送受信機の外観を示す斜視図である。
【符号の説明】
【００３０】
１  ＢＣＡＳカード（ＩＣカード）
１０  受信機本体
１１  挿入口
１２  冷却用ファン
２０  表示パネル
３０  着脱ユニット
３１  ケース
３２  ＨＤＤユニット
３３  カードソケット
３４  コネクタ３
４０  カーナビゲーションシステム
４１  ＨＤＤ制御部
４２  デジタルテレビユニット
４３  ナビゲーション装置
【図１】
2006191431.tif 000003
【図２】
2006191431.tif 000004
【図３】
2006191431.tif 000005
【図４】
2006191431.tif 000006
【図５】
2006191431.tif 000007
【図６】
2006191431.tif 000008
【図７】
2006191431.tif 000009